(57)【特許請求の範囲】
【請求項１】
磁性トナーを収容した現像容器内に、像担持体の回転方向に沿って配置された第１の現像剤担持体と、その上流側の第２の現像剤担持体と、前記第１、第２の現像剤担持体内に非回転に配置された第１、第２の磁石と、前記第２の現像剤担持体に配置された現像剤規制部材とを備え、
前記第１、第２の現像剤担持体の前記像担持体に対する回転方向は、対向部が同方向に移動する向きの順方向であり、前記第１、第２の現像剤担持体の互いの回転方向は、対向部が反対方向に移動する向きの逆方向であり、
前記第１、第２の現像剤担持体の対向部の前記第１、第２の磁石の磁極をそれぞれ第１の磁極、第２の磁極として、前記第１の磁極と第２の磁極はそれぞれ逆の極性で、磁性トナーは前記第１、第２の現像剤担持体の対向部を通過し、
前記第１、第２の現像剤担持体の対向部間の磁界は、前記第２の現像剤担持体に近い面の方が、前記第１の現像剤担持体に近い面の方よりも磁束密度が大きくなるようになっており、
前記像担持体上に形成した静電潜像を、前記第２の現像剤担持体上に担持した磁性トナーによって、前記像担持体と第２の現像剤担持体とが対向した第２現像領域で現像し、ついで前記第１の現像剤担持体上に担持した磁性トナーによって、前記像担持体と第１の現像剤担持体とが対向した第１現像領域で現像することを特徴とする現像装置。
【請求項２】
前記現像剤規制部材は、前記第１、第２の現像剤担持体の対向部よりも第２の現像剤担持体の回転方向下流側に、前記第２の現像剤担持体に対し非接触に配置された磁性ブレードからなり、前記第２の磁石による前記第２の現像剤担持体と前記磁性ブレードとの間の磁界により、前記第２の現像剤担持体上の磁性トナーおよび前記引き付けられた磁性トナーを磁気的に規制する請求項１の現像装置。
【請求項３】
前記現像剤規制部材は、前記第１、第２の現像剤担持体の対向部よりも第２の現像剤担持体の回転方向下流側に、前記第２の現像剤担持体に対し当接して配置された弾性ブレードからなり、前記弾性ブレードにより、前記第２の現像剤担持体上の磁性トナーおよび前記引き付けられた磁性トナーを機械的に規制する請求項１の現像装置。
【請求項４】
前記現像剤規制部材は、前記第１、第２の現像剤担持体の対向部よりも第２の現像剤担持体の回転方向下流側に、前記第２の現像剤担持体に対し非接触に配置された回転する規制スリーブと、前記規制スリーブ内に非回転に配置された第３の磁石とからなり、前記規制スリーブの前記第２の現像剤担持体に対する回転方向は、対向部が反対方向に移動する向きの逆方向であり、
前記第２の現像剤担持体と前記規制スリーブとの対向部間の磁界は、前記規制スリーブに近い面の方が、前記第２の現像剤担持体に近い面の方よりも磁束密度が大きくなるようになっており、
前記第２の現像剤担持体上の磁性トナーおよび前記引き付けられた磁性トナーは、前記第２の現像剤担持体と規制スリーブの対向部間の磁界により規制されて、帯電電荷量の高いトナーのみが第２の像担持体上に残存し、前記第２の現像剤担持体により前記第２の現像領域へ搬送されて現像に供され、前記第２の現像剤担持体上の残りの磁性トナーは前記規制スリーブに引き付けられて、前記規制スリーブにより搬送される請求項１の現像装置。
【請求項５】
前記第２の現像剤担持体と規制スリーブの対向部よりも規制スリーブの回転方向下流側に、前記規制スリーブに対し当接されたスクレーパを有し、前記スクレーパにより、前記規制スリーブ上の磁性トナーおよび前記引き付けられた磁性トナーを機械的に除去する請求項４の現像装置。
【請求項６】
前記第２の現像剤担持体と規制スリーブの対向部よりも規制スリーブの回転方向下流側に、前記規制スリーブに対し非接触に配置された非磁性金属からなる剥ぎ取り電極を有し、前記剥ぎ取り電極にトナーと逆極性の電圧を印加することにより、前記規制スリーブ上の磁性トナーおよび前記引き付けられた磁性トナーを電気的に除去する請求項４の現像装置。
【発明の詳細な説明】
【０００１】
【発明の属する技術分野】
本発明は、電子写真装置や静電記録装置等の画像形成装置に用いられる現像装置に関するものである。
【０００２】
【従来の技術】
従来、電子写真法としては、米国特許第２，２９７，６９１号明細書、特公昭４２−２３９１０号公報、および特公昭４３−２４７４８号公報等に記載されているように、多数の方法が知られているが、一般には光導電物質による感光体上に種々の手段により電気的潜像を形成し、ついでトナーを用いて潜像を現像し、得られたトナー像を必要に応じて紙等の転写材に転写し、加熱あるいは溶剤蒸気等により定着して、複写物を得るものである。
【０００３】
現像法としては、トナーと磁性キャリアを主体とした２成分現像剤を用いて電気的潜像を可視化する方法が種々知られている。たとえば米国特許第２，８７４，０６３号明細書に記載されいてる磁気ブラシ現像法、米国特許第２２１，７７６号明細書に記載されているパウダークラウド法およびファーブラシ現像法、液体現像法等、多数の現像法がある。
【０００４】
この２成分現像剤を用いる磁気ブラシ法、液体現像法等は、比較的安定に良好な画像が得られるので、広く実用化されている。しかし、いずれも、トナーとキャリアを混合した現像剤を使用するので、キャリアの劣化、トナーとキャリアの混合比の変動、装置の複雑化、トナーの飛散、キャリアによるすじむら等の欠点を有する。
【０００５】
このような欠点を回避するために、トナーのみからなる１成分現像剤（１成分トナー）を用いる現像方法が各種提案されている。たとえば米国特許第３，９０９，２５８号明細書には、電気的に導電性を有する磁性トナーを用いて現像する方法が提案されている。これは、内部に磁石を有する導電性の円筒状の現像スリーブに導電性の磁性トナーを担持し、これを潜像に接触させて現像するものである。この現像の際、現像スリーブと感光体とが対向した現像部において、トナー粒子により感光体と現像スリーブの表面間に導電路が形成され、この導電路を経て現像スリーブからトナー粒子に電荷が導かれ、潜像の画像部との間のクーロン力によりトナー粒子が画像部に付着して、潜像を現像する。
【０００６】
この導電性の磁性トナーを用いる現像方法は、従来の２成分現像法にまつわる問題点を回避した優れた方法であるが、その反面、トナーが導電性であるため、現像した画像を感光体から普通紙等の最終的な支持部材へ静電的に転写することが困難であるという欠点があった。
【０００７】
この問題を解決するために、静電的に転写することが可能な高抵抗の磁性トナーを用いる現像法が、特開昭５２−９４１４０号公報に、トナー粒子の誘電分極を利用した現像法として開示されている。しかし、この方法は、本質的に現像速度が遅く、現像画像の濃度が十分に得られない等の欠点を有しており、実用上困難であった。
【０００８】
高抵抗の磁性トナーを用いるその他の方法としては、トナー粒子相互の摩擦、トナー粒子と現像スリーブとの摩擦等により、トナー粒子を摩擦帯電し、これを感光体に接触して現像する方法が知られている。しかし、この方法は、トナー粒子と摩擦部材との接触回数が少なく、摩擦帯電が不十分になりやすい、あるいは帯電したトナー粒子と現像スリーブとのクーロン力が強いときには、トナー粒子が現像スリーブ上で凝集しやすい等の欠点を有しており、実用上困難な点が多いことが指摘される。
【０００９】
これに対し、特開昭５４−４３０３６号公報に、上述の欠点を除去した新規な現像方法が提案されている。これは、現像スリーブ上に磁性トナーを極めて薄く塗布（コーティング）して摩擦帯電し、ついでこれを潜像に接触させることなく極めて近接させ、磁界の作用下で潜像を現像するものである。
【００１０】
この方法によれば、磁性トナーを極めて薄く塗布することにより、磁性トナーと現像スリーブとの接触の機械を増加させ、現像に必要な摩擦帯電電荷をトナーに付与することが可能となる。
【００１１】
図５に、磁性１成分現像装置の一例を示す。図５に示すように、現像装置は、現像剤として磁性１成分トナーを収容した現像容器１０に、現像スリーブ１、永久磁石１ａ、大小２つのトナー搬送部材４、および磁性ブレード１１を備えてなっている。現像スリーブ１は非磁性部材からなり、像担持体の感光ドラム１００と対向した開口部に、図中矢印Ｂ２の方向に回転可能に設置され、永久磁石１ａはローラ状に形成され、現像スリーブ１内に非回転に配置されている。
【００１２】
現像容器１０内の磁性トナーは、搬送部材４により現像スリーブ１に搬送され、磁石１ａの磁力により現像スリーブ１の表面に担持され、現像スリーブ１の回転により感光ドラム１００と対向した現像部へ搬送される。その搬送途上で、現像スリーブ１と距離Ｗの間隔を開けて配置された磁性ブレード１１により規制されて、現像スリーブ１上にトナー薄層に塗布される。距離Ｗは一般に１００μｍ〜１ｍｍの範囲に設定されることが多い。
【００１３】
現像スリーブ１上に塗布されたトナー層の層厚は、図７に示すカットラインＬの位置によって決定される。本発明者らの検討によると、現像スリーブ１と磁性ブレード１１との間を磁性トナーが通過する際、磁性トナーの挙動はつぎのようであることが分かった。
【００１４】
図６に示すように、現像スリーブ１と磁性ブレード１１とを結ぶ直線に垂直な平面を考え、磁性ブレード１１に近い面をＳ１、現像スリーブ１に近い面をＳ２とすると、一般に磁性ブレード１１の幅は磁石１ｂの幅に比べて狭くしてあるので、面Ｓ１、Ｓ２でのそれぞれの磁束密度を考えると、面Ｓ１での磁束密度の方が大きくなる。したがって、現像スリーブ１上の磁性トナーは、現像スリーブ２と磁性ブレード１１との間で、図６の矢印方向の力、すなわち磁性ブレード１１方向への磁力を受け、図７に示すように、現像スリーブ１と規制ブレード９との間で磁性トナーｔが連なって、図に符号Ｂで示すように、チェーン（穂）を形成する。
【００１５】
磁性トナーｔへの電荷付与は、現像スリーブ９から見てのチェーンＢの先端のトナーｔ１と現像スリーブ１とが接触することにより、先端のトナーｔ１について行われる。またトナーチェーンＢの先端のトナーｔ１に電荷が付与されるので、このトナーｔ１には鏡映力による現像スリーブ１方向への力が働き、現像スリーブ１との摩擦力により現像スリーブ１の回転方向への搬送力が与えられる。
【００１６】
またトナーｔ同士には互いにある程度の凝集力が働いているので、トナーｔ１に接しているトナーｔ２にも、凝集力を介在した搬送力が生じる。同様にその上層部のトナーｔ３にも、凝集力を介して搬送力が生じる。
【００１７】
しかし、現像スリーブ１と磁性ブレード１１との間のトナーｔには、磁性ブレード１１方向への磁力も作用している。したがって、トナーに作用する搬送力が磁力に打ち勝つところ、すなわち図７のカットラインＬのところでトナーの穂Ｂがちぎれ、現像スリーブ１上に残ったトナーが現像スリーブ１の回転方向に搬送される。
【００１８】
したがって、凝集度が高い磁性トナーや、必要な摩擦帯電電荷量を得るのに多い接触回数を要する磁性トナーを用いる場合には、現像スリーブ１に接触していない帯電が不十分なトナーが現像領域に搬送され、現像で帯電不良にともなう画像不良が生じやすいという問題があった。
【００１９】
この問題を解決するために、本発明者らは、図８に示すように、現像スリーブ１に対し現像剤規制部材として、磁石５ａを非回転に配置した規制スリーブ５を設置し、この磁石５ａの磁極Ｓ２１を現像スリーブ１内の磁石１ａの磁極Ｎ１１とを対向させ、また規制スリーブ５を対向部で現像スリーブ１と逆方向に移動する向きに回転するようにした。
【００２０】
これにより、現像スリーブ１と規制スリーブ５とが対向したトナー規制部で、現像スリーブ１上の磁性トナーに、主としてトナーの帯電電荷量に依存した現像スリーブ１の回転方向の搬送力と、主として磁力により依存した規制スリーブ５の回転方向の搬送力とを与えて、十分に帯電したトナーのみを現像スリーブ１の表面に残存させて均一にコートし、感光ドラム１００と対向した現像領域へ搬送することが可能となった。
【００２１】
【発明が解決しようとする課題】
しかし、上記図８に示した現像装置は、現像スリーブ１上に塗布されるトナー量が、先の図５に示した現像装置の１／３〜１／２程度であるため、図５の現像装置と同等の画像濃度を得るためには、現像スリーブの回転速度を速くしなければならない。
【００２２】
この場合、図８の現像装置は現像効率が高いために、トナーコート量が図５の現像装置の約半分でも、感光ドラムに対する現像スリーブの周速比（現像スリーブの回転速度／感光ドラムの回転速度）を倍にする必要はなく、図５の現像装置で多く設定されるスリーブ周速比１．２〜１．５の条件での画像と同等の濃度を得るのに、スリーブ周速比を２〜２．５にする程度でよい。しかしながら、依然としてスリーブ周速比を高くしなければならないことに変わりはない。
【００２３】
したがって、昨今の電子写真装置の画像形成の高速化にともない、感光ドラムが高速化すると、現像スリーブが益々高速化し、このため小粒径のトナーや磁性体量を減らしたトナー等を使用した場合に、現像スリーブ上のトナーコートを安定して行うことに困難を招くことがあった。
【００２４】
本発明の目的は、画像形成の高速化に対しても、現像スリーブの高速化を抑制することができ、小粒径トナーや磁性体量を減らしたトナーを使用した場合にも、現像スリーブ上に帯電が良好な磁性トナーを安定してコートして、現像に供することを可能とした現像装置を提供することである。
【００２５】
【課題を解決するための手段】
上記目的は本発明に係る現像装置にて達成される。要約すれば、本発明は、磁性トナーを収容した現像容器内に、像担持体の回転方向に沿って配置された第１の現像剤担持体と、その上流側の第２の現像剤担持体と、前記第１、第２の現像剤担持体内に非回転に配置された第１、第２の磁石と、前記第２の現像剤担持体に配置された現像剤規制部材とを備え、
前記第１、第２の現像剤担持体の前記像担持体に対する回転方向は、対向部が同方向に移動する向きの順方向であり、前記第１、第２の現像剤担持体の互いの回転方向は、対向部が反対方向に移動する向きの逆方向であり、
前記第１、第２の現像剤担持体の対向部の前記第１、第２の磁石の磁極をそれぞれ第１の磁極、第２の磁極として、前記第１の磁極と第２の磁極はそれぞれ逆の極性で、磁性トナーは前記第１、第２の現像剤担持体の対向部を通過し、
前記第１、第２の現像剤担持体の対向部間の磁界は、前記第２の現像剤担持体に近い面の方が、前記第１の現像剤担持体に近い面の方よりも磁束密度が大きくなるようになっており、
前記像担持体上に形成した静電潜像を、前記第２の現像剤担持体上に担持した磁性トナーによって、前記像担持体と第２の現像剤担持体とが対向した第２現像領域で現像し、ついで前記第１の現像剤担持体上に担持した磁性トナーによって、前記像担持体と第１の現像剤担持体とが対向した第１現像領域で現像することを特徴とする現像装置である。
【００２７】
また、前記現像剤規制部材は、前記第１、第２の現像剤担持体の対向部よりも第２の現像剤担持体の回転方向下流側に、前記第２の現像剤担持体に対し非接触に配置された磁性ブレードからなり、前記第２の磁石による前記第２の現像剤担持体と前記磁性ブレードとの間の磁界により、前記第２の現像剤担持体上の磁性トナーおよび前記引き付けられた磁性トナーを磁気的に規制する。もしくは、前記現像剤規制部材は、前記第１、第２の現像剤担持体の対向部よりも第２の現像剤担持体の回転方向下流側に、前記第２の現像剤担持体に対し当接して配置された弾性ブレードからなり、前記弾性ブレードにより、前記第２の現像剤担持体上の磁性トナーおよび前記引き付けられた磁性トナーを機械的に規制する。
【００２８】
あるいは、前記現像剤規制部材は、前記第１、第２の現像剤担持体の対向部よりも第２の現像剤担持体の回転方向下流側に、前記第２の現像剤担持体に対し非接触に配置された回転する規制スリーブと、前記規制スリーブ内に非回転に配置された第３の磁石とからなり、前記規制スリーブの前記第２の現像剤担持体に対する回転方向は、対向部が反対方向に移動する向きの逆方向であり、
前記第２の現像剤担持体と前記規制スリーブとの対向部間の磁界は、前記規制スリーブに近い面の方が、前記第２の現像剤担持体に近い面の方よりも磁束密度が大きくなるようになっており、
前記第２の現像剤担持体上の磁性トナーおよび前記引き付けられた磁性トナーは、前記第２の現像剤担持体と規制スリーブの対向部間の磁界により規制されて、帯電電荷量の高いトナーのみが第２の像担持体上に残存し、前記第２の現像剤担持体により前記第２の現像領域へ搬送されて現像に供され、前記第２の現像剤担持体上の残りの磁性トナーは前記規制スリーブに引き付けられて、前記規制スリーブにより搬送される。
【００２９】
この場合、前記第２の現像剤担持体と規制スリーブの対向部よりも規制スリーブの回転方向下流側に、前記規制スリーブに対し当接されたスクレーパを有し、前記スクレーパにより、前記規制スリーブ上の磁性トナーおよび前記引き付けられた磁性トナーを機械的に除去する。もしくは、前記第２の現像剤担持体と規制スリーブの対向部よりも規制スリーブの回転方向下流側に、前記規制スリーブに対し非接触に配置された非磁性金属からなる剥ぎ取り電極を有し、前記剥ぎ取り電極にトナーと逆極性の電圧を印加することにより、前記規制スリーブ上の磁性トナーおよび前記引き付けられた磁性トナーを電気的に除去する。
【００３０】
【発明の実施の形態】
以下、本発明の実施例を図面に即して詳述する。
【００３１】
実施例１
図１は、本発明の現像装置の一実施例を示す断面図である。
【００３２】
本実施例では、現像装置は、現像スリーブ１の他に第２の現像スリーブ２を備えたことが大きな特徴である。
【００３３】
現像装置は、磁性トナーを収容した現像容器１０内に、感光ドラム１００の回転方向に沿って、第１の現像スリーブ１とその上流側の第２の現像スリーブ２とを有し、この現像スリーブ１、２内には、それぞれ磁石１ａ、１ｂが非回転に配置されている。第２の現像スリーブには、現像剤規制部材として磁性ブレード６が設置されている。この現像スリーブ１、２の感光ドラム１００に対する回転方向は、対向部が同方向に移動する矢印ｂ１、ｂ２の向きの順方向であり、現像スリーブ１、２の互いの回転方向は、対向部が反対方向に移動する向きの逆方向である。
【００３４】
現像スリーブ１、２は非磁性金属部材の円筒からなり、本実施例によれば、外径２０ｍｍに形成されている。また現像スリーブ１、２の感光ドラム１００との最近接部の距離Ｗ１、Ｗ２はそれぞれ２００μｍ、３００μｍに、また現像スリーブ１と２の最近接部の距離Ｗは３００μｍに設定されている。磁性ブレード６は、現像スリーブ１、２の対向部よりも現像スリーブ２の回転方向下流側の、現像スリーブ２内磁石２ａの磁極Ｎ２１近傍に配置され、現像スリーブ２との距離Ｗ３が２００μｍに設定されている。
【００３５】
本実施例によれば、現像スリーブ１、２内の磁石１ａ、２ａは、対向位置に磁極Ｎ１１、Ｓ２１を有し、この磁極Ｎ１１の磁束密度を９００ガウス、磁極Ｓ２１の磁束密度を８００ガウスとし、かつ、これらの磁束密度のピーク値に対して５０％以上の値を示す領域の幅（便宜上、以後５０％値と称す）の比を、
磁極Ｓ２１の５０％値／磁極Ｎ１１の５０％値≦１．０
好ましくは、
磁極Ｓ２１の５０％値／磁極Ｎ１１の５０％値≦０．８
とした。本実施例では、磁極Ｓ２１の５０％値／磁極Ｎ１１の５０％値≒０．８とした。
【００３６】
これにより、磁極Ｓ２１と磁極Ｎ１１との間で形成される磁界の磁束密度の変化を、現像スリーブ１から現像スリーブ２に行くほど磁束密度が高くして、現像スリーブ１、２間でトナーに現像スリーブ２方向への磁気力が作用するようにした。
【００３７】
本実施例では、磁性トナーは、重量平均粒径が５μｍ以上、含有する磁性体量が１０重量％以上の負帯電性トナーを使用した。
【００３８】
上記構成の現像装置によれば、現像スリーブ１と現像スリーブ２との対向部間は、現像スリーブ１上に担持された磁性トナーの規制部として作用する。
【００３９】
現像容器１０内の磁性トナーは、搬送部材４により現像スリーブ１方向へ搬送され、回転する現像スリーブ１の表面上に内側の磁石１ａにより保持される。現像スリーブ１上に保持された磁性トナーは、現像スリーブ１と２との対向部間に搬送され、現像スリーブ１と２の間の磁界により規制を受ける。このとき現像スリーブ１上の磁性トナーのうち、現像スリーブ１の表面近傍に存在する磁性トナーは、搬送過程で現像スリーブ１表面との摩擦により高い帯電量に帯電されるので、電荷による鏡映力により現像スリーブ１の表面に引き付けられ、現像スリーブ１と２の対向部間の磁界中を潜り抜けて、現像スリーブ１の表面に残存しコートされるとともに、回転する現像スリーブ１の表面の摩擦力により、感光ドラム１００と現像スリーブ１とが対向した現像領域（第１の現像領域）方向への搬送力を得る。
【００４０】
一方、現像スリーブ１上の残りの帯電が不十分な磁性トナーは、現像スリーブ１、２間の磁束密度を現像スリーブ２側にいくほど高くして、現像スリーブ１から現像スリーブ２側へ磁気力が働くようにしているので、磁気的に現像スリーブ２に引き付けられ、現像スリーブ２上に保持された磁性トナーとともに、回転する現像スリーブ２の表面との摩擦力により、現像容器１０の内方向への搬送力が与えられる。
【００４１】
上記の現像スリーブ２上の磁性トナーおよびこれに引き付けられた磁性トナーは、磁性ブレード６のところに搬送され、先の図７に示すように、現像スリーブ２上でトナーチェーンを形成してちぎれ、現像スリーブ２上にコートされた後、現像スリーブ２と感光ドラム１とが対向した現像領域（第２の現像領域）に搬送される。
【００４２】
現像の手順は、感光ドラム１００上の潜像が現像スリーブ２との現像領域に達し、まず、現像スリーブ２上の磁性トナーによって現像される。現像スリーブ２上のトナーには、帯電が不十分なトナーが存在するため、この現像で可視化された感光ドラム１００上のトナー像は、かぶり、尾引き等の画像不良が発生し、また濃度も十分でない。つぎに現像されたトナー像が現像スリーブ１との現像領域に達し、ここで、現像スリーブ１と感光ドラム１００との間で印加されている現像バイアスのＡＣ電圧により、感光ドラム１００と現像スリーブ１との間で往復動を繰り返し、帯電が不十分なトナーは現像スリーブ１に回収されつつ、感光ドラム１００上の帯電が十分なトナーと現像スリーブ１からの帯電が十分なトナーにより潜像が再度現像される。
【００４３】
その結果、画像形成装置の画像形成の高速化により感光ドラム１００の回転速度が高くなっても、現像スリーブ１、２の回転速度をそう高くせずに１．５倍程度に抑えて、十分な濃度の画像を得ることが可能となった。また小粒径のトナーや磁性体量を減らしたトナー等を使用した場合にも、現像スリーブ上のトナーコートを安定して実施して、現像することができる。
【００４４】
実施例２
図２は、本発明の現像装置の他の実施例を示す断面図である。
【００４５】
本実施例では、第２現像スリーブ２用の現像剤規制部材として弾性ブレード７を設置したことが特徴である。本実施例のその他の構成は、図１に示した実施例１と同様で、図２において図１に付した符号と同一の符号は同一の部材を示す。
【００４６】
弾性ブレード７は、現像スリーブ１、２の対向部よりも現像スリーブ２の回転方向下流側、具体的には現像スリーブ２内磁石２ａの磁極Ｎ２１のところの現像スリーブ２の表面に、現像スリーブ２の回転方向とカウンター方向に当接している。したがって、現像スリーブ２上の磁性トナーは、弾性ブレード７で押し付けられることにより摩擦帯電され、かつトナー層厚を規制されて、現像スリーブ２上にコートされる。
【００４７】
本実施例によっても、感光ドラム１００上の潜像を、現像スリーブ２上の磁性トナーによって現像し、ついで現像スリーブ１上の帯電が十分な磁性トナーによって現像しているので、画像形成装置の高速化により感光ドラム１００の回転速度が高くなっても、現像スリーブ１、２の回転速度をそう高くせずに１．５倍程度に抑えて、十分な濃度の画像を得ることが可能となった。また小粒径のトナーや磁性体量を減らしたトナー等を使用した場合にも、現像スリーブ上のトナーコートを安定して実施して、現像することができる。
【００４８】
実施例３
図３は、本発明の現像装置のさらに他の実施例を示す断面図である。
【００４９】
図１、２に示した実施例１、２では、現像スリーブ１は十分に帯電したトナーのみがコートされているが、現像スリーブ２は帯電が不十分なトナーもコートされている。このようであっても、現像スリーブ１上のトナーで再度現像する際、感光ドラム１上のトナー像のトナー構成を再配置するので、トナーの帯電不良による画像不良は起こりにくい。
【００５０】
しかしながら、トナーの磁性体量が少ない場合や凝集度が高い場合などには、現像スリーブ１による現像で得られたトナー像を、現像スリーブ２による現像で再配置して、帯電が不十分なトナーを感光ドラム１００から現像スリーブ１に引き戻すことができないことがあった。
【００５１】
そこで、本実施例では、図１に示した実施例１の現像装置において、第２の現像スリーブ２に対し磁性ブレード６の代わりに、図３に示すように、磁石５ａを非回転に配置した回転するトナー規制スリーブ５を設置したことが大きな特徴である。この規制スリーブ５にはスクレーパ８を設置した。本実施例のその他の構成は実施例１と基本的に同じで、図３において図１に付した符号と同一の符号は同一の部材を示す。
【００５２】
規制スリーブ５は非磁性金属材料の外径１５ｍｍの円筒からなり、現像スリーブ２に対し実施例１の磁性ブレード６と同様、Ｗ３＝３００μｍの間隔で配置され、対向部で反対方向に移動する矢印ｂ３の向きの逆方向に回転される。規制スリーブ５内の磁石５ａと現像スリーブ２内の磁石２ａは、対向位置に磁極Ｓ５、Ｎ２１を有し、この磁極Ｓ５の磁束密度を８００ガウス、磁極Ｎ２１の磁束密度を９００ガウスとし、かつ、これらの磁束密度のピーク値に対して５０％以上の値を示す領域の幅（５０％値）の比を、
磁極Ｓ５の５０％値／磁極Ｎ２１の５０％値≦１．０
好ましくは、
磁極Ｓ５の５０％値／磁極Ｎ２１の５０％値≦０．８
とした。本実施例では、磁極Ｓ５の５０％値／磁極Ｎ２１の５０％値≒０．８とした。
【００５３】
これにより、磁極Ｓ２５と磁極Ｎ２１との間で形成される磁界の磁束密度の変化を、現像スリーブ２から規制スリーブ５に行くほど磁束密度が高くして、現像スリーブ２、規制スリーブ５間でトナーに規制スリー５方向への磁気力が作用するようにした。
【００５４】
さて、現像スリーブ２上に保持された磁性トナー、およびこれに引き付けられた現像スリーブ１からの磁性トナーは、帯電が不十分なトナーを含んだ状態で、現像スリーブ２と規制スリーブ５との対向部間に搬送されて、現像スリーブ２と規制スリーブ３の間の磁界により規制を受ける。このとき現像スリーブ２上の磁性トナーのうち、現像スリーブ２の表面近傍に存在する磁性トナーは、搬送過程で現像スリーブ２表面との摩擦により高い帯電量に帯電されるので、電荷による鏡映力により現像スリーブ２の表面に引き付けられ、現像スリーブ２と規制スリーブ５の対向部間の磁界中を潜り抜けて、現像スリーブ２の表面に残存しコートされるとともに、回転する現像スリーブ２の表面の摩擦力により、感光ドラム１００と現像スリーブ２とが対向した現像領域（第１の現像領域）方向への搬送力を得る。
【００５５】
一方、現像スリーブ２上の残りの帯電が不十分な磁性トナーは、現像スリーブ２、規制スリーブ５間の磁束密度を規制スリーブ５側にいくほど高くして、現像スリーブ２から規制スリーブ５側へ磁気力が働くようにしているので、磁気的に規制スリー５に引き付けられ、規制スリーブ５の回転によりスクレーパ８のところに搬送されて、規制スリーブ５から剥ぎ取られ、現像容器１０に内に回収される。
【００５６】
本実施例によれば、このように、現像スリーブ１、２上の帯電が不十分なトナーは、現像容器１０の内方に戻され、十分に帯電したトナーのみが現像スリーブ１、２に塗布され、両スリーブ１、２から感光ドラム１００に対して現像が行われる。したがって、帯電不十分なトナーによる現像での画像不良は発生しない。
【００５７】
その結果、画像形成装置の高速化により感光ドラム１００の回転速度が高くなっても、現像スリーブ１、２の回転速度をそう高くせず１．５倍程度に抑えても、十分な濃度の画像を得ることが可能となった。また小粒径のトナーや磁性体量を減らしたトナー等を使用した場合にも、現像スリーブ上のトナーコートを安定して実施して、現像することができる。
【００５８】
実施例４
図４は、本発明の現像装置のさらに他の実施例を示す断面図である。本実施例では、トナー規制スリーブ５のトナー回収部材として、非磁性金属の中実円筒からなる回収ローラ（トナー剥ぎ取り電極）９を使用した。それ以外は図３に示した実施例３と同様である。図４において図３に示した部材と同一の部材は同一の符号を付してその説明を省略する。
【００５９】
トナー回収ローラ９は、規制スリーブ５内の磁石の磁極Ｓ５の近傍に、規制スリーブ５との距離Ｗ４を２００μｍ開けて矢印ｂ４方向に回転可能に配置され、規制スリーブ５上のトナーを回収するために、規制スリーブ５よりも５００Ｖ電位が高くなるように、規制スリーブ５との間にＤＣバイアスが印加されている。
【００６０】
この回収のメカニズムは以下のようである。規制スリーブ５の表面に保持されて搬送されてきたトナーは、規制スリーブ５内の磁石５ａの磁極Ｎ５の近傍に至ると、磁力によりトナーチェーンを形成する。そのチェーンを形成したトナーに、規制スリーブ５と回収ローラ９間に印加されたバイアスにより、回収ローラ９方向への力がかかる。規制スリーブ５上のトナーチェーンは、チェーンになっていることにより規制スリーブ５との表面との接触部が少なくないので、回収ローラ９方向への力により容易に規制スリーブ５から剥ぎ取られる。
【００６１】
本実施例によっても、現像スリーブ１、２上の帯電が不十分なトナーは、現像容器１０の内方に戻され、十分に帯電したトナーのみが現像スリーブ１、２に塗布され、両スリーブ１、２から感光ドラム１００に対して現像が行われる。したがって、帯電不十分なトナーによる現像での画像不良は発生しない。
【００６２】
その結果、画像形成装置の高速化により感光ドラム１００の回転速度が高くなっても、現像スリーブ１、２の回転速度をそう高くせずに１．５倍程度に抑えて、十分な濃度の画像を得ることが可能となった。また小粒径のトナーや磁性体量を減らしたトナー等を使用した場合にも、現像スリーブ上のトナーコートを安定して実施して、現像することができる。
【００６３】
【発明の効果】
以上説明したように、本発明によれば、磁性トナーを収容した現像容器内に、像担持体の回転方向に沿って第１の現像剤担持体と、その上流側の第２の現像剤担持体とを配置し、その第１、第２の現像剤担持体の像担持体に対する回転方向を順方向、第１、第２の現像剤担持体の互いの回転方向を対向部が反対方向に移動する向きの逆方向とするとともに、第１、第２の現像剤担持体の対向部の第１、第２の磁石の磁極をそれぞれ第１の磁極、第２の磁極として、第１の磁極と第２の磁極はそれぞれ逆の極性で、磁性トナーは第１、第２の現像剤担持体の対向部を通過し、第１、第２の現像剤担持体の対向部間の磁界は、第２の現像剤担持体に近い面の方が、第１の現像剤担持体に近い面の方よりも磁束密度が大きくなるようにして、対向部間の磁性トナーに第２の現像剤担持体方向の磁気力を作用させるように構成した。
【００６４】
これにより、第１の現像剤担持体上の磁性トナーのうち帯電電荷量の高いトナーのみを残存して、第１の現像剤担持体と像担持体との第１の現像領域へ搬送し、第１の現像剤担持体上の残りの磁性トナーを第２の現像剤担持体に引き付けて、第２の現像剤担持体上の磁性トナーとともに、現像剤規制部材により規制した後、第２の現像剤担持体と像担持体との第２の現像領域に搬送して、像担持体上の潜像を第２の現像領域で現像するとともに、第１の現像領域で帯電量の十分な磁性トナーで再度現像するようにできるので、画像形成の高速化に対しても、現像剤担持体の高速化を抑制して、濃度が十分な画像を得ることができ、小粒径トナーや磁性体量を減らしたトナーを使用した場合にも、現像剤担持体上に帯電が良好な磁性トナーを安定してコートして、現像に供することができる。
【図面の簡単な説明】
【図１】本発明の現像装置の一実施例を示す断面図である。
【図２】本発明の現像装置の他の一実施例を示す断面図である。
【図３】本発明の現像装置のさらに他の一実施例を示す断面図である。
【図４】本発明の現像装置のさらに他の一実施例を示す断面図である。
【図５】従来の現像装置を示す断面図である。
【図６】図５の現像装置の現像スリーブ上の磁性トナーの磁性ブレードによる規制部を示す説明図である。
【図７】図６の規制部での磁性トナーの挙動を示す説明図である。
【図８】従来の現像装置の他の例を示す断面図である。
【符号の説明】
１      第１の現像スリーブ
１ａ、２ａ、５ａ  磁石
２      第２の現像スリーブ
５      規制スリーブ
６      磁性ブレード
７      弾性ブレード
８      スクレーパ
９      トナー回収ローラ
１００  感光ドラム
【図１】
0004143229.tif 000002
【図２】
0004143229.tif 000003
【図３】
0004143229.tif 000004
【図４】
0004143229.tif 000005
【図５】
0004143229.tif 000006
【図６】
0004143229.tif 000007
【図７】
0004143229.tif 000008
【図８】
0004143229.tif 000009